(57)【特許請求の範囲】
【請求項１】
複数の設備により被圧延材を圧延する圧延ラインにおける省エネルギー操業リコメンドシステムであって、
１つの被圧延材が前記圧延ラインを通過する過程で前記複数の設備が消費した総消費エネルギーを算出し、前記総消費エネルギーを圧延前の被圧延材の幅と長さで除算して、被圧延材の単位幅、単位長あたりの消費エネルギーを定めた消費エネルギー基準量を算出する消費エネルギー実績計算装置と、
前記消費エネルギー実績計算手段により算出された消費エネルギー基準量を、被圧延材の鋼種および圧延後目標板厚に関連付けて記憶する消費エネルギー基準量記憶手段と、
前記圧延ラインにおいて次に圧延が予定されている圧延予定被圧延材について、その鋼種と圧延後目標板厚とに対応する消費エネルギー基準量を、前記消費エネルギー基準量記憶手段から取得する消費エネルギー基準量取得手段と、
前記消費エネルギー基準量取得手段により取得された消費エネルギー基準量に、前記圧延予定被圧延材の幅と長さを乗算して、前記圧延予定被圧延材が前記圧延ラインを通過する過程で前記複数の設備が消費すると予測される予測消費エネルギーを算出する消費エネルギー予測計算手段と、
を備えることを特徴とする省エネルギー操業リコメンドシステム。
【請求項２】
圧延後の被圧延材の製品品質や、製品材質の機械的性質を許容範囲内に維持しつつ、前記消費エネルギー予測計算手段により算出された予測消費エネルギーよりも消費エネルギーを低減可能な操業条件を、オペレータにリコメンドする省エネルギー操業条件リコメンド手段、
を更に備えることを特徴とする請求項１記載の省エネルギー操業リコメンドシステム。
【請求項３】
前記複数の設備は、複数の圧延スタンドを備える仕上ミルと、前記仕上ミルの下流に設けられたコイラーとを含み、
前記省エネルギー操業条件リコメンド手段は、
前記仕上ミルの下流から前記コイラーの上流までの間における被圧延材の平坦度を検出する平坦度検出手段と、
平坦度のばらつきを表す指標が製品品質上限値以上である場合に、前記複数の圧延スタンドについて、前段スタンドの圧延荷重配分比を上げ、後段スタンドの圧延荷重配分比を下げる操業条件をリコメンドする第１リコメンド手段と、を含むこと、
を特徴とする請求項２記載の省エネルギー操業リコメンドシステム。
【請求項４】
圧延後の被圧延材の降伏応力および引張強度に関する機械的性質値を算出する材質予測計算装置を備え、
前記複数の設備は、複数の圧延スタンドを備える仕上ミルを含み、
前記省エネルギー操業条件リコメンド手段は、前記機械的性質値が、機械的性質下限値よりも高く設定された許容値以上である場合に、仕上ミル出側目標温度を上げる操業条件をリコメンドする第２リコメンド手段、を含むこと、
を特徴とする請求項２又は３に記載の省エネルギー操業リコメンドシステム。
【請求項５】
圧延後の被圧延材の降伏応力および引張強度に関する機械的性質値を算出する材質予測計算装置を備え、
前記複数の設備は、粗ミルと、前記粗ミルの下流に設けられた仕上ミルとを含み、
前記省エネルギー操業条件リコメンド手段は、前記機械的性質値が、機械的性質下限値よりも高く設定された許容値以上である場合に、前記粗ミルと前記仕上ミルとの間における被圧延材の目標板厚を減少させる操業条件をリコメンドする第３リコメンド手段と、を含むこと、
を特徴とする請求項２乃至４のいずれか１項に記載の省エネルギー操業リコメンドシステム。
【請求項６】
前記複数の設備は、複数の圧延スタンドを備える仕上ミルを含み、
前記省エネルギー操業条件リコメンド手段は、
前記仕上ミルの下流における被圧延材のクラウン値を検出するクラウン値検出手段と、
前記クラウン値が、製品品質上限値よりも低く設定された許容値以下である場合に、前記複数の圧延スタンドについて、前段スタンドの圧延荷重配分比を上げ、後段スタンドの圧延荷重配分比を下げる操業条件をリコメンドする第４リコメンド手段と、を含むこと、
を特徴とする請求項２乃至５のいずれか１項に記載の省エネルギー操業リコメンドシステム。
【請求項７】
前記複数の設備は、
被圧延材を圧延する圧延機と、
被圧延材を冷却するための冷却水を汲み上げる冷却ポンプと、
被圧延材を搬送する搬送テーブルと、
被圧延材を巻き取るコイラーと、を含むこと、
を特徴とする請求項１乃至６のいずれか１項に記載の省エネルギー操業リコメンドシステム。
【発明の詳細な説明】
【技術分野】
【０００１】
この発明は、圧延ラインの省エネルギー操業リコメンドシステムに関する。
【背景技術】
【０００２】
典型的な熱間圧延ラインの設備構成について説明する。熱間圧延ラインでは、スラブ加熱炉で所要の温度まで加熱された高温の鋼板スラブが、圧延ライン上を搬送されて、順次圧延され、最後にコイラーで巻き取られ製品コイルとなる。【０００３】
スラブから製品コイルに至るまで、加熱、圧延、冷却などのさまざまな加工温度処理プロセスが圧延ライン上で施される。加熱プロセスではスラブ再加熱炉やバーヒータ、エッジヒータなどの設備がある。圧延プロセスではエッジャミル、粗ミル、仕上ミルなどの圧延機設備がある。冷却プロセスではスケールブレーカ、デスケーラ、ラミナー冷却などの注水設備がある。またその他、被圧延材の搬送に関わるテーブルローラ、コイルボックス、クロップシャー、ダウンコイラーなどの機械設備がある。【０００４】
これらの設備では主に電力と燃料を用いており、エネルギーを消費している。圧延機、ダウンコイラー、テーブルローラ、クロップシャーなどはモータで駆動されており、これらのモータで電力エネルギーを消費している。また、スケールブレーカ、デスケーラ、ラミナー冷却などの注水設備では、ポンプによって高圧水や多量の水を供給しており、ポンプを駆動するモータで電力エネルギーを消費している。これらのように圧延ラインには様々な設備でエネルギーを消費しており、各設備の操業条件によって必要な消費エネルギーは変化する。
【先行技術文献】
【特許文献】
【０００５】
【特許文献１】日本特開２０１１−１６２８０４号公報
【特許文献２】日本特公昭６３−２３８４６号公報
【発明の概要】
【発明が解決しようとする課題】
【０００６】
従来の省エネルギーは、主に設備単位や一部の機能を対象としたものが多かった。しかし、一部の設備や機能に対しては省エネルギーになっても、圧延ライン全体が省エネルギーになるとは限らない。例えば、粗ミルの省エネルギーの一方法として、粗ミルと仕上ミルの間のトランスファーバーの目標板厚を上げて、スラブ厚からトランスファーバー厚までの粗ミルの圧下量を減少させることが考えられる。これにより、粗ミルの圧延トルクを下げ、粗ミルを駆動するモータの消費エネルギーを低減させることができる。しかしながら、トランスファーバー厚は増加する。そのため、粗ミル下流の仕上ミルでは、トランスファーバー厚から最終製品の目標板厚までの圧下量が増加することになる。よって、仕上ミルの圧延トルクは増加し、仕上ミルを駆動するモータの消費エネルギーは増加する。粗ミル単体では省エネルギーにはなるが、仕上ミルも合わせた圧延ライン全体の消費エネルギーは、各設備の消費エネルギー増減の総和によって決まるので必ずしも省エネルギーになるとは限らない。【０００７】
また、被圧延材の鋼種、サイズの変化により圧延スケジュールが変化し、それによって圧延機の消費エネルギーが変化する。その他、所要の製品材質を得るためにラミナー注水設備の冷却条件が変化したり、材料の表面品質を確保するためにデスケーラの噴射パターンを変更したりすることによって、注水量が変化する。それによりポンプの運転状況が変化して駆動モータの消費エネルギーが変化する。このように、被圧延材の鋼種、サイズ、所要の製品材質、製品品質によっても各設備の消費エネルギーが変化し、圧延ライン全体の消費エネルギーも変化する。各設備の消費エネルギーの増減の総和によって圧延ライン全体の消費エネルギーの省エネルギー量が決まるので、被圧延材の鋼種、サイズ、所要の製品材質、製品品質などが変化しても、圧延ライン上の各設備の消費エネルギーが精度良く予測できることが重要になる。【０００８】
従来から、熱間圧延ラインにおける省エネルギーでは、最上流の加熱炉に対して操作することで燃焼エネルギーを最小化しようとしたり、圧延ラインの操業条件を制御することでトータルコストを最小化しようとしたりする提案がなされてきた。【０００９】
例えば、日本特開２０１１−１６２８０４では、連続式加熱炉において、熱容量が大きく多量の加熱エネルギーが必要となる加熱炉でエネルギーの効率が最大限になるよう、熱バランス方程式から予測精度の高い燃料流量を算出する方法が提案されている。【００１０】
また、日本特公昭６３−２３８４６では、熱間連続圧延において、抽出温度、抽出ピッチ、圧延速度を最適値に設定することにより、スラブから製品に至るまでのトータルコストを最小化する制御方法が提案されている。【００１１】
加熱炉における省エネルギーは、加熱炉で使用する燃料を如何に少なくして加熱効率を上げるかに焦点をあてて検討すればよい。しかし、圧延ライン全体における省エネルギーの検討は容易ではない。圧延ラインにはエネルギーを消費する設備の種類がいろいろあり、各設備のエネルギー効率によって省エネルギーの度合いが異なるので、圧延ライン全体での消費エネルギーの増減は複雑である。【００１２】
また、圧延ラインの操業条件を変更して省エネルギーを図れたとしても、操業条件の変更によって、板厚、板幅、クラウン、平坦度などの製品品質が所要値を下回ったり、降伏応力や引張強度などの製品材質の機械的性質が所要値を下回ったりすれば不良品となる。所要の製品品質と製品材質を満たしつつ、かつ省エネルギーも図れるような、圧延ラインの操業条件を示すことが重要となる。【００１３】
この発明は、上述のような課題を解決するためになされたもので、次に圧延される予定の被圧延材に対して圧延ライン全体が消費する消費エネルギーを精度高く予測することができ、これに基づいて操業条件を改善可能な省エネルギー操業リコメンドシステムを提供することを目的とする。
【課題を解決するための手段】
【００１４】
この発明は、上記の目的を達成するため、複数の設備により被圧延材を圧延する圧延ラインにおける省エネルギー操業リコメンドシステムであって、
１つの被圧延材が前記圧延ラインを通過する過程で前記複数の設備が消費した総消費エネルギーを算出し、前記総消費エネルギーを圧延前の被圧延材の幅と長さで除算して、被圧延材の単位幅、単位長あたりの消費エネルギーを定めた消費エネルギー基準量を算出する消費エネルギー実績計算装置と、
前記消費エネルギー実績計算手段により算出された消費エネルギー基準量を、被圧延材の鋼種および圧延後目標板厚に関連付けて記憶する消費エネルギー基準量記憶手段と、
前記圧延ラインにおいて次に圧延が予定されている圧延予定被圧延材について、その鋼種と圧延後目標板厚とに対応する消費エネルギー基準量を、前記消費エネルギー基準量記憶手段から取得する消費エネルギー基準量取得手段と、
前記消費エネルギー基準量取得手段により取得された消費エネルギー基準量に、前記圧延予定被圧延材の幅と長さを乗算して、前記圧延予定被圧延材が前記圧延ラインを通過する過程で前記複数の設備が消費すると予測される予測消費エネルギーを算出する消費エネルギー予測計算手段と、を備えることを特徴とする。【００１５】
また、この発明は、圧延後の被圧延材の製品品質や、製品材質の機械的性質を許容範囲内に維持しつつ、前記消費エネルギー予測計算手段により算出された予測消費エネルギーよりも消費エネルギーを低減可能な操業条件を、オペレータにリコメンドする省エネルギー操業条件リコメンド手段、を更に備えることを特徴とする。【００１６】
好ましくは、前記複数の設備は、複数の圧延スタンドを備える仕上ミルと、前記仕上ミルの下流に設けられたコイラーとを含み、
前記省エネルギー操業条件リコメンド手段は、
前記仕上ミルの下流から前記コイラーの上流までの間における被圧延材の平坦度を検出する平坦度検出手段と、
平坦度のばらつきを表す指標が製品品質上限値以上である場合に、前記複数の圧延スタンドについて、前段スタンドの圧延荷重配分比を上げ、後段スタンドの圧延荷重配分比を下げる操業条件をリコメンドする第１リコメンド手段と、を含むことを特徴とする。【００１７】
好ましくは、圧延後の被圧延材の降伏応力および引張強度に関する機械的性質値を算出する材質予測計算装置を備え、
前記複数の設備は、複数の圧延スタンドを備える仕上ミルを含み、
前記省エネルギー操業条件リコメンド手段は、前記機械的性質値が、機械的性質下限値よりも高く設定された許容値以上である場合に、仕上ミル出側目標温度を上げる操業条件をリコメンドする第２リコメンド手段、を含むこと、を特徴とする。【００１８】
好ましくは、圧延後の被圧延材の降伏応力および引張強度に関する機械的性質値を算出する材質予測計算装置を備え、
前記複数の設備は、粗ミルと、前記粗ミルの下流に設けられた仕上ミルとを含み、
前記省エネルギー操業条件リコメンド手段は、前記機械的性質値が、機械的性質下限値よりも高く設定された許容値以上である場合に、前記粗ミルと前記仕上ミルとの間における被圧延材の目標板厚を減少させる操業条件をリコメンドする第３リコメンド手段と、を含むこと、を特徴とする。【００１９】
好ましくは、前記複数の設備は、複数の圧延スタンドを備える仕上ミルを含み、
前記省エネルギー操業条件リコメンド手段は、
前記仕上ミルの下流における被圧延材のクラウン値を検出するクラウン値検出手段と、
前記クラウン値が、製品品質上限値よりも低く設定された許容値以下である場合に、前記複数の圧延スタンドについて、前段スタンドの圧延荷重配分比を上げ、後段スタンドの圧延荷重配分比を下げる操業条件をリコメンドする第４リコメンド手段と、を含むことを特徴とする。
【発明の効果】
【００２０】
この発明によれば、次に圧延される予定の被圧延材に対して圧延ライン全体が消費する消費エネルギーを精度高く予測することができる。また、この発明によれば、製品品質や製品材質を確保しつつ、圧延ライン全体の消費エネルギーを低減できる操業条件をオペレータにリコメンドすることが可能となる。
【図面の簡単な説明】
【００２１】
【図１】本発明の実施の形態１における省エネルギー操業リコメンドシステムが適用される圧延ラインの設備概略図である。
【図２】本発明の実施の形態１における省エネルギー操業リコメンドシステムの概念構成図である。
【図３】本発明の実施の形態１における表示手段の画面構成例を示す模式図である。
【図４】本発明の実施の形態１における省エネルギー操業条件のルールベースの一例を示す図である。
【発明を実施するための形態】
【００２２】
以下、図面を参照して本発明の実施の形態について詳細に説明する。尚、各図において共通する要素には、同一の符号を付して重複する説明を省略する。
本明細書において「製品品質」とは、板厚、板幅、クラウン、平坦度など、圧延ライン上に設置された各種センサにより検出可能なものを意味する。「製品材質」とは、降伏応力や引張強度など圧延ライン上に設置された各種センサでは検出できないものを意味する。なお、降伏応力や引張強度は、製品コイルからサンプルを切り出し実験することで測定可能である。
【００２３】
実施の形態１．
［圧延ライン］
図１は、本発明の実施の形態１における省エネルギー操業リコメンドシステムが適用される圧延ラインの設備概略図である。図１は、鉄鋼プラントの熱間圧延ラインを示している。
【００２４】
図１に示す熱間圧延ラインの上流には、１或いは複数のスラブ加熱炉１が設けられている。スラブ加熱炉１から圧延ライン上にスラブが抽出される。スラブは、被圧延材（以下、単に「材」ともいう）である。スラブ加熱炉１から抽出されたスラブは、搬送テーブルによって搬送される。搬送テーブルは、例えば、多数のローラを備える。各ローラはモータに接続されており、モータの回転方向および回転速度が適切に制御されることにより、ローラ上に載せられた被圧延材が所定の方向に所定の速度で移動する。
【００２５】
スラブ加熱炉１の下流には、高圧デスケーリング装置２が設けられている。高圧デスケーリング装置２の下流には、エッジャミル３が設けられている。エッジャミル３の下流には、粗ミル４が設けられている。スラブ加熱炉１から抽出されたスラブは、粗ミル４によって粗圧延が行われる。スラブは、粗ミル４を数回程度通過する。スラブが粗ミル４を通過する回数をパス数と称する。粗圧延後の被圧延材をトランスファーバーと称する。
【００２６】
粗ミル４の出側には、被圧延材の温度を検出するための粗ミル出側センサ５が設けられている。粗ミル出側センサ５の下流には、被圧延材の温度を検出するための仕上ミル入側センサ６が設けられている。仕上ミル入側センサ６の下流には、クロップシャー７が設けられている。クロップシャー７の下流には、仕上ミル入側デスケーリング装置８が設けられている。仕上ミル入側デスケーリング装置８の下流には、仕上ミル９が設けられている。仕上ミル９は、複数の圧延スタンドを備えている。トランスファーバーは、下流方向に搬送されながら各圧延スタンドにより仕上げ圧延される。仕上げ圧延後にダウンコイラー１３に巻き取られる被圧延材を製品と称する。
【００２７】
仕上ミル９の下流には、被圧延材の温度、板厚、板幅、クラウン、平坦度を検出するための仕上ミル出側センサ１０が設けられている。仕上ミル出側センサ１０の下流には、ランアウトラミナースプレー冷却装置１１が設けられている。
【００２８】
ランアウトラミナースプレー冷却装置１１の下流には、被圧延材の温度を検出するためのコイラー入側センサ１２が設けられている。コイラー入側センサ１２の下流には１或いは複数のダウンコイラー１３が設けられている。被圧延材はダウンコイラー１３に巻き取られる。
【００２９】
なお、高圧デスケーリング装置２と粗ミル４には、冷却水を汲み上げるための粗ポンプ１４が接続されている。仕上ミル入側デスケーリング装置８と仕上ミル９には、冷却水を汲み上げるための仕上ポンプ１５が接続されている。ランアウトラミナースプレー冷却装置１１には、冷却水を汲み上げるためのランアウトテーブルポンプ１６が接続されている。被圧延材は、粗ポンプ１４、仕上ポンプ１５、ランアウトテーブルポンプ１６により組み上げられた冷却水によって水冷され、温度調整される。
【００３０】
上述した搬送テーブル、エッジャミル３、粗ミル４、クロップシャー７、仕上ミル９、ダウンコイラー１３、粗ポンプ１４、仕上ポンプ１５、ランアウトテーブルポンプ１６は、それぞれ駆動用のモータを備える。省エネルギー操業リコメンドシステムは、各モータにより消費された電流・電圧などの消費エネルギーの実績値を検出する消費エネルギー検出装置を備えている。また、圧延ライン上の各所には、被圧延材の位置を検出する位置センサ（図示省略）が設けられている。被圧延材の位置と各モータの消費エネルギーの実績値とに基づいて、任意の被圧延材について各設備が消費した消費エネルギーを算出することが可能である。
【００３１】
圧延ラインにおける各設備の動作は、プロセス計算機（図示省略）の計算結果に基づいて、適切に制御される。例えば、設定された目標トランスファーバー厚に応じて、粗ミル４の圧延荷重、トルクが決定されモータが駆動する。設定された製品目標板厚に応じて、仕上ミル９の各圧延スタンドの圧延荷重、トルクが決定されモータが駆動する。
【００３２】
［省エネルギー操業リコメンドシステム］
図２は、本発明の実施の形態１における省エネルギー操業リコメンドシステムの概念構成図である。
省エネルギー操業リコメンドシステムは、ＲＯＭ、ＲＡＭ、データベース等の記憶装置を備えた演算処理装置により構成され、実装されたプログラムにより動作する。省エネルギー操業リコメンドシステムは、消費エネルギー実績計算装置２０、品質実績データ収集装置２１、材質予測計算装置２２、表示手段２３、省エネルギーリコメンド装置２４、消費エネルギー基準量テーブル２５、品質実績・材料計算値格納テーブル２６、省エネルギー操業条件ルールベース２７を備える。消費エネルギー基準量テーブル２５、品質実績・材料計算値格納テーブル２６、省エネルギー操業条件ルールベース２７は、１或いは複数のデータベース上で管理される。
【００３３】
消費エネルギー実績計算装置２０は、表示手段２３と消費エネルギー基準量テーブル２５に接続する。品質実績データ収集装置２１は、表示手段２３と品質実績・材料計算値格納テーブル２６に接続する。材質予測計算装置２２は、表示手段２３と品質実績・材料計算値格納テーブル２６に接続する。省エネルギーリコメンド装置２４は、表示手段２３と消費エネルギー基準量テーブル２５と品質実績・材料計算値格納テーブル２６と省エネルギー操業条件ルールベース２７に接続する。
【００３４】
（消費エネルギー実績計算装置）
消費エネルギー実績計算装置２０について説明する。
消費エネルギーの実績は、駆動モータから得られる電流、電圧、回転速度などを用いて、例えば以下のように算出できる。これは先端から尾端までの１本分圧延したときの消費エネルギー計算となる。
0005999265.tif 000002
【００３５】
ここで、Ei[MJ]は時間T[s]間の消費エネルギー実績、t[s]は時刻、v[m/s]はロール周速度実績、G[kNm]は圧延トルク(ロール基準)実績、R[mm]はロール半径、Pwは圧延パワー[kW]、ηは電力変換効率(電流−仕事間の変換時の効率)[-]である。
【００３６】
上記（１）式では、時刻t=0からt=TまでのT[s]間の消費エネルギーを表すが、例えば圧延機の場合は、被圧延材の先端が圧延機に咬み込んで圧延を開始する時刻がt=0であり、それから圧延が進み、被圧延材の尾端が圧延機から抜けて圧延が終了する時刻がt=Tとなる。この場合T[s]は圧延時間を表す。このようにして、圧延１パス分のエネルギーEiの実績が得られるが、被圧延材は粗ミル４、仕上ミル９で繰り返し圧延されるので、被圧延材１本あたり圧延作業で消費されたエネルギーの総和は、式（３）で表される。
0005999265.tif 000003
【００３７】
ここで、iは粗ミル４、仕上ミル９のパスインデックスを表し、Riは粗ミル４の第iパスを、Fiは仕上ミル９の第iスタンドを示している。NRは粗ミル４の最終圧延パス、NFは仕上ミル９の最終スタンドを示す。
【００３８】
このほか、スラブ加熱炉１から抽出された１つの被圧延材が最後にダウンコイラー１３に巻き取られるまでの全体の消費エネルギーは式（４）で表される。
0005999265.tif 000004
【００３９】
ここで、EEi[MJ]はエッジャミル３の各圧延パスにおける消費エネルギー実績を表している。ETi[MJ]は搬送テーブルの各モータの消費エネルギー実績を表している。EDC[MJ]はダウンコイラー１３の消費エネルギー実績を表している。ERP[MJ]は粗ポンプ１４のスプレー関係（高圧水デスケーラ、粗ミルデスケーラ）に水供給するタンクのポンプモータの消費エネルギー実績を表している。EFP[MJ]は仕上ポンプ１５のスプレー関係（仕上ミル入側デスケーラ、仕上ミルの圧延スタンド間スプレーなど）に水供給するタンクのポンプモータの消費エネルギー実績を表している。EROTP[MJ]はランアウトテーブルのラミナースプレーに水供給するタンクのポンプモータの消費エネルギー実績を表している。
【００４０】
こうして被圧延材１本分の加工水冷処理全体に要した消費エネルギーを、実績データをベースとして算出する。
【００４１】
なお、こうして算出される被圧延材１本分の消費エネルギーは、被圧延材の鋼種やサイズによって異なる。圧延トルクが変化したり、所要の製品材質を得るための温度スケジュールが変化することで、使用する水量が変化したり、また、被圧延材の長さの変化によって、圧延、冷却する処理時間が変化するからである。算出した消費エネルギーを基準化することで、ある程度の変化要素に対するエネルギー変化を吸収することができる。例えば、圧延トルクは板幅に関してはほぼ比例関係にあることや、被圧延材の長さはほぼ圧延時間と相関を持つ。
【００４２】
そこで、本発明では、消費エネルギー実績計算装置２０は、式（５）に示すように、１つの被圧延材が圧延ラインを通過する過程で各設備が消費した総消費エネルギー（式（４））を算出し、総消費エネルギーを圧延前のスラブ幅とスラブ長で除算して、被圧延材の単位幅、単位長あたりの消費エネルギーを定めた消費エネルギー基準量を算出する。
0005999265.tif 000005
【００４３】
ここで、Etotalp[MJ]は、１つの被圧延材について圧延ライン全体が消費する消費エネルギーを表している。BS[mm]はスラブ幅を表している。LS[mm]はスラブ長を表している。そして、ENorm_total[MJ/mm2]は、被圧延材の単位幅・単位長あたりについて圧延ライン全体が消費する消費エネルギー基準量を表している。厳密にはスラブ幅とスラブ長で全体消費エネルギーが正確に比例関係にあるとは言い切れないが、代表的な指標として示すことはできる。
【００４４】
この消費エネルギー基準量は、鋼種と最終製品の目標板厚とをキーとして整理することができる。消費エネルギー基準量テーブル２５は、消費エネルギー基準量を、被圧延材の鋼種と製品目標板厚とに関連付けて記憶する。また、鋼種と製品目標板厚とで定まる区分に関して、複数の被圧延材の消費エネルギー基準量の実績値が得られた場合は、それらの平均値を算出して代表値としての精度を上げることができる。或いは、式（６）により、逐次更新させることによって、より最近に処理した被圧延材の消費エネルギー基準量の傾向を反映させることもできる。
0005999265.tif 000006
【００４５】
ここで、ENormi,j_OLD[MJ/mm2]は鋼種インデックスi、製品目標板厚インデックスjにおける、消費エネルギー基準量の更新前のテーブル値を表している。ENormi,j_CUR[MJ/mm2]は同じ鋼種インデックスi、同じ製品目標板厚インデックスjにおける、最新の被圧延材１本の消費エネルギー基準量の計算値を表している。ENormi,j_NEW[MJ/mm2]は同じ鋼種インデックスi、同じ製品目標板厚インデックスjにおける、消費エネルギー基準量のテーブル更新値を表している。αは更新ゲインを表している。
【００４６】
なお、同様に、各エリアについての消費エネルギー基準量も消費エネルギー基準量テーブル２５で管理する。
0005999265.tif 000007
0005999265.tif 000008
【００４７】
式（７）は粗ミルエリア、式（８）は仕上ミルエリア、式（９）はダウンコイラー１３、式（１０）は搬送テーブル、式（１１）は粗ポンプ１４、式（１２）は仕上ポンプ１５、式（１３）はランアウトテーブルポンプ１６の各消費エネルギー基準量を示す。なお、粗ミルエリアは、図１に示すエッジャミル３と粗ミル４を含むエリアである。仕上ミルエリアは、図１に示す複数の圧延スタンドを有する仕上ミル９を含むエリアである。搬送テーブルは、複数のエリア（例えば、スラブ加熱炉１−粗ミル４間、粗ミル４−仕上ミル９間、仕上ミル９−ダウンコイラー１３間）に区分される。本明細書では、説明容易のために１つのエリアに同時に存在する被圧延材は１つとする。そのため、１つの被圧延材が各エリアで消費した消費エネルギーを容易に検出することができる。
【００４８】
各エリアについての消費エネルギー基準量は、消費エネルギー基準量テーブル２５で管理される。これにより、鋼種と製品目標板厚とをキーとして、各エリアについて、実績値に基づく代表的な消費エネルギー基準量を取得することができる。
【００４９】
なお、上述の消費エネルギー基準量の算出においては、スラブ幅とスラブ長とを用い、スラブ厚は一定と仮定している。しかし、スラブ厚を加えて用い、より計算精度を高めることとしてもよい。
【００５０】
（品質実績データ収集装置）
品質実績データ収集装置２１は、仕上ミル出側センサ１０により検出された板厚、板幅、クラウン、平坦度などの製品品質に関する実績データ（実績値）を収集する。品質実績データ収集装置２１は、最新の被圧延材の実績データから、製品品質情報として板厚、板幅、クラウン、平坦度についての実績測定チャートデータを作成する。実績測定チャートデータは、表示手段２３へ送信される。また、実績データは、品質実績・材料計算値格納テーブル２６に記憶される。
【００５１】
（材質予測計算装置）
降伏応力、引張強度などの機械的性質の実績データ（実績値）は、製品コイルのサンプルを用いて、別途引張試験機などで測定する必要があり、全ての被圧延材に対して得られるものではない。材質予測計算装置２２は、製品材質情報として降伏応力、引張強度などの機械的性質の実績データを取り込み、実績データがない被圧延材に関しては公知の材質予測システムと同様のモデルを用いて予測データ（予測値）を計算する。実績データと予測データは、製品材質の機械的性質データとして、品質実績・材料計算値格納テーブル２６に記憶される。また、機械的性質データは、表示手段２３へ送信される。
【００５２】
（表示手段）
図３は、本発明の実施の形態１における表示手段の画面構成例を示す模式図である。
表示手段２３は、上述した消費エネルギー基準量（全体値と各エリア値）と、製品品質に関する実績測定チャートデータ、製品材質に関する機械的性質データを一つの表示部に同時に表示する。
【００５３】
オペレータは、被圧延材がスラブ加熱炉１から抽出されてからダウンコイラー１３に巻き取られるまでの各エリアにおける消費エネルギー実績と、板厚、板幅、クラウン、平坦度などの製品品質の実績と、製品材質の機械的性質の情報とを、表示手段２３に表示された一つの画面内で比較し、分析することができる。
【００５４】
例えば、オペレータは、被圧延材の一連のプロセスに対して、どこのエリアで消費エネルギーが多いか、また被圧延材の製品品質や製品材質に問題が発生していないかを確認することができる。また、表示されている製品品質、製品材質について、その許容範囲内でいずれかのエリアで消費エネルギーを減少しうる（省エネルギー）可能性があるか否かを検討することができる。ある操業条件を変更することで、消費エネルギーを減少させて省エネルギーを実現できる可能性があっても、所要の品質や材質を満たさないのでは不良品となり、省エネルギー以上の損失となる。消費エネルギーと製品品質、製品材質の情報を並べて一つの画面内で表示することで、これらの情報を比較しやすくなり、所要の製品品質、製品材質を確保した上での省エネルギーの可能性を検討することができる。
【００５５】
（省エネルギーリコメンド装置）
省エネルギーリコメンド装置２４は、次に圧延が予定されている被圧延材（スラブ）について、その鋼種と製品目標板厚とに対応する消費エネルギー基準量を、消費エネルギー基準量テーブル２５から読み込む。読み込んだ消費エネルギー基準量にその被圧延材のスラブ幅とスラブ長さとを乗算して、その被圧延材が圧延ラインを通過する過程で各設備が消費すると予測される消費エネルギー（予測消費エネルギー）を算出する。
【００５６】
予測消費エネルギーは、ライン全体Etotalp[MJ]、粗ミルエリアERMp[MJ]、仕上ミルエリアEFMp[MJ]、ダウンコイラーEDCp[MJ]、搬送テーブルETBLp[MJ]、粗ポンプERPp[MJ]、仕上ポンプEFPp[MJ]、ランアウトテーブルポンプEROTPp[MJ]、である。表示手段２３は、これらの予測消費エネルギーと共に、同じ鋼種、製品板厚、製品板幅で、先に圧延した最後の被圧延材の製品品質（板厚、板幅、クラウン、平坦度）の実績測定チャートと、材質予測計算装置２２により計算された機械的性質データが並べて表示する。
【００５７】
次に省エネルギーリコメンド装置２４は、製品品質、製品材質の許容範囲を考慮した省エネルギーの可能性をリコメンドする。
まず、省エネルギーに関連する代表的な操業条件のメニューとして以下が挙げられる。
（１）加熱炉抽出温度
（２）粗ミル−仕上ミル間のトランスファーバー厚
（３）仕上ミル出側目標温度（FDT）
（４）仕上ミルの各圧延スタンドの圧延荷重配分比
【００５８】
（１）の加熱炉抽出温度の変更について説明する。スラブの抽出温度を上げると、粗ミル４、仕上ミル９はより高温で圧延するので、変形抵抗が減少し、圧延荷重、トルクが下がる。そのため、粗ミル４、仕上ミル９の消費エネルギーが減少し省エネルギー効果がある。
【００５９】
（２）のトランスファーバー厚の変更について説明する。トランスファーバー厚を減少させると、粗ミル４では、スラブ厚から最終のトランスファーバー厚までのトータルの圧下量が増加するので、粗ミル４全体の消費エネルギーは増加する。一方、仕上ミル９では、トランスファーバー厚から製品目標板厚までのトータル圧下量は減少するので、仕上ミル９全体の消費エネルギーは一般的に減少する。従って、粗ミル４のエネルギー増加量と仕上ミル９のエネルギー減少量のバランスによって、圧延ライン全体の消費エネルギーの増減が決まる。一般的には粗ミル４全体よりも仕上ミル９全体の方が消費エネルギーが大きい。そのため、仕上ミル９側の消費エネルギー増減の方が、省エネルギーに与える影響が大きい。そのため、トランスファーバー厚を減少させると、一般的に圧延ライン全体の消費エネルギーは減少し省エネルギー効果がある。
【００６０】
（３）の仕上ミル出側目標温度（FDT）の変更について説明する。FDTを上げると、仕上ミル９の各圧延スタンドは、より高温で圧延することになり、変形抵抗が下がり、圧延荷重とトルクは減少する。一方で、より高いFDTを達成するために、仕上ミル９の圧延速度は上がる方向になる。しかし、圧延速度の上昇よりも圧延トルク減少の影響の方が大きい。そのため、FDTを上げると、一般的に仕上ミル９全体の消費エネルギーは減少し、圧延ライン全体の消費エネルギーも減少し省エネルギー効果がある。
【００６１】
（４）の仕上ミル９の各圧延スタンドの圧延荷重配分比について、上流の前段スタンドの比率を上げ、下流の後段スタンドの比率を下げると、一般的に仕上ミル９全体の消費エネルギーは減少し、省エネルギー効果がある。これは、前段スタンドでは圧延荷重とトルクが増加し、後段スタンドでは圧延荷重とトルクが減少するところ、より高温側で圧延する前段スタンドのトルク増加量は少なく、低温側で圧延する後段スタンドのトルク減少量は大きく、トータルでは消費エネルギーの減少量が勝るためである。
【００６２】
以上より、各操業条件の変更と省エネルギー効果との関係は次のようにまとめられる。
（１）加熱炉抽出温度を上げると、省エネルギー効果がある。
（２）粗ミル−仕上ミル間のトランスファーバー厚を減少させると、省エネルギー効果がある。
（３）仕上ミル出側目標温度(FDT)を上げると、省エネルギー効果がある。
（４）仕上ミルの各スタンドの圧延荷重配分比を前段スタンドで上げ、後段スタンドで下げると、省エネルギー効果がある。
【００６３】
上記の操業条件を組み合わせれば、省エネルギー効果がある操業条件の変更を実施することができる。しかしながら、実際には、製品品質や製品材質などの制約があるため、全ての操業条件の変更が実現できるわけではない。実際には、製品品質と製品材質の変化の許容範囲内で実現できる操業条件の変更を選ぶ必要がある。
【００６４】
省エネルギーリコメンド装置２４は、被圧延材の製品品質や、製品材質の機械的性質を許容範囲内に維持しつつ、予測消費エネルギーよりも消費エネルギーを低減可能な操業条件を、オペレータにリコメンドする。
【００６５】
例えば、製品品質や製品材質の許容範囲を考慮した、省エネルギー効果のある操業条件変更方針としては次の例が挙げられる。
（ルール１）仕上ミル出側平坦度に良くない場合、仕上ミル９の後段スタンドの圧延荷重配分比を下げると、平坦度が改善するとともに、省エネルギー効果が得られる。
（ルール２）所要の機械的性質の下限までに、仕上ミル出側目標温度(FDT)を上げる余裕がある場合、FDTを上げることで、製品材質の許容範囲内で省エネルギー効果が得られる。
（ルール３）所要の機械的性質の下限までに、仕上ミル９でのトータル圧下量を下げる余裕がある場合、トランスファーバー厚を減少させることで、製品材質の許容範囲内で省エネルギー効果が得られる。
（ルール４）仕上ミル出側クラウンを増加させる余裕がある場合、仕上ミル９の前段スタンドの圧延荷重配分比を上げることで、クラウンの許容範囲内で省エネルギー効果が得られる。
【００６６】
図４は、本発明の実施の形態１における省エネルギー操業条件のルールベースの一例を示す図である。
省エネルギー操業条件ルールベース２７は、製品品質・製品材質と、省エネルギー効果がある操業条件の変更方針との一般的関連性をルール化して記憶している。省エネルギーリコメンド装置２４は、製品品質と製品材質のデータを取得し、省エネルギー操業条件ルールベース２７上のルールに合致する条件を選択し、省エネルギー効果のある操業条件の変更方針を表示手段２３に表示してリコメンドすることができる。
【００６７】
ルール１について説明する。まず、省エネルギーリコメンド装置２４は、仕上ミル出側平坦度をサンプリングした実績データから、被圧延材の平坦度のばらつきを表す指標である標準偏差を算出する。このとき、一般的には仕上ミル出側平坦度の実績データは、被圧延材の先端がダウンコイラー１３に巻き付いた後は、仕上ミル９とダウンコイラー１３間の張力確立によって平坦度の出力信号が小さくなってしまう。そのため、上記標準偏差を算出する場合は、被圧延材の先端がダウンコイラー１３に巻きつくまでの範囲でサンプリングした実績データから標準偏差を算出する工夫が必要となる。この平坦度の標準偏差がある閾値（製品品質上限値）以上である場合は、平坦度不良である。この場合、省エネルギーリコメンド装置２４は、仕上ミル９の各圧延スタンドについて、前段スタンドの圧延荷重配分比を上げ、後段スタンドの圧延荷重配分比を下げる操業条件をリコメンドする。操業条件は表示手段２３に表示される。
【００６８】
ルール２とルール３について説明する。機械的性質の下限値は製品要求値として与えられる。省エネルギーリコメンド装置２４は、材質予測システムで計算された機械的性質値と、機械的性質下限値とを比較する。機械的性質下限値までの余裕量（機械的性質値−機械的性質下限値）がある閾値以上である場合に、製品材質として余裕があると判断して、上記省エネルギー効果がある操業条件の変更をリコメンドする。
【００６９】
ルール２は、前提として、仕上ミル出側目標温度(FDT)を上げる余裕がある場合に用いられる。一般的に、その下流のランアウトラミナースプレー冷却において同じ冷却パターンで被圧延材を冷却する場合、仕上ミル出側目標温度(FDT)を上げると、最終製品コイルの降伏応力や引張強度に関する機械的性質の強度が下がる傾向がある。まず、材質予測計算装置２２は、現状与えられている仕上ミル出側目標温度(FDT)に基づいて、降伏応力および引張強度に関する機械的性質値を算出する。省エネルギーリコメンド装置２４は、その機械的性質値が、所要の機械的性質下限値よりも高く設定された許容値以上である場合に、仕上ミル出側目標温度(FDT)を上げる操業条件をリコメンドする。操業条件は表示手段２３に表示される。この操業条件の変更によれば、最低強度を確保しつつ、省エネルギー効果を得ることが可能となる。
【００７０】
ルール３は、前提として、仕上ミル９でのトータル圧下量を下げる余裕がある場合に用いられる。まず、材質予測計算装置２２は、現状与えられている仕上ミル出側目標温度(FDT)に基づいて、降伏応力および引張強度に関する機械的性質値を算出する。省エネルギーリコメンド装置２４は、その機械的性質値が、所要の機械的性質下限値よりも高く設定された許容値以上である場合に、粗ミル４と仕上ミル９との間における被圧延材（トランスファーバー）の目標板厚を減少させる操業条件をリコメンドする。操業条件は表示手段２３に表示される。この操業条件の変更によれば、最低強度を確保しつつ、省エネルギー効果を得ることが可能となる。
【００７１】
ルール４について説明する。仕上ミル９の出側のクラウンの製品品質上限値は製品要求値として与えられる。省エネルギーリコメンド装置２４は、仕上ミル出側センサ１０で計測されたクラウンの実績値が、製品品質上限値よりも低く設定された許容値以下である場合（換言すれば、製品品質上限値までの余裕量（上限値−実績値）がある閾値を超えた場合）に、圧延ミルの各圧延スタンドについて、前段スタンドの圧延荷重配分比を上げ、後段スタンドの圧延荷重配分比を下げる操業条件をリコメンドする。操業条件は表示手段２３に表示される。
【００７２】
以上説明したように、本発明の省エネルギー操業リコメンドシステムによれば、被圧延材ごとに圧延ライン上の実績データをもとに各設備の消費エネルギーを計算する。それらを合計することで圧延ライントータルの消費エネルギーを計算する。そのため、モデルを有することなく、次に圧延される予定の被圧延材の鋼種とスラブサイズ、製品目標板厚さえ分かれば、圧延ライン全体が消費する消費エネルギーを精度高く予測することができる。
【００７３】
また、省エネルギー操業リコメンドシステムによれば、製品品質、製品材質を確保しつつ、圧延ライン全体の消費エネルギーを低減できる操業条件をオペレータにリコメンドすることができる。そのため、オペレータは安心して操業条件の変更ができるようになる。また、省エネルギー操業リコメンドシステムによれば、製品品質・製品材質と省エネルギー効果との関連性がわかりやすく表示手段２３に表示され、オペレータもその関連性を考慮して省エネルギー操業を検討することができる。
【００７４】
省エネルギー操業リコメンドシステムによれば、消費エネルギーの実績データと製品品質の実績データを一つに管理して、製品品質の改善や余裕を考慮したうえで、省エネルギー効果がある操業条件を提示することができるので、オペレータも安心して操業条件を変更することができる。
【００７５】
省エネルギー操業リコメンドシステムによれば、消費エネルギーの実績データと製品品質の実績データと、製品材質の機械的性質の計算値とを一つに管理して、製品品質と製品材質の改善や余裕を考慮したうえで、省エネルギー効果がある操業条件を提示することができるので、オペレータも安心して操業条件を変更することができる。
【００７６】
尚、上述した実施の形態１においては、消費エネルギー実績計算装置２０がこの発明における「消費エネルギー実績計算装置」に、消費エネルギー基準量テーブル２５が前記第Ｘの発明における「消費エネルギー基準量記憶手段」に、省エネルギーリコメンド装置２４が、この発明における「消費エネルギー基準量取得手段」と「消費エネルギー予測計算手段」と「省エネルギー操業条件リコメンド手段」とに、仕上ミル出側センサ１０がこの発明における「平坦度検出手段」と「クラウン値検出手段」とに、材質予測計算装置２２がこの発明における「材質予測計算装置」に、それぞれ相当している。
【符号の説明】
【００７７】
１  スラブ加熱炉
２  高圧デスケーリング装置
３  エッジャミル
４  粗ミル
５  粗ミル出側センサ
６  仕上ミル入側センサ
７  クロップシャー
８  仕上ミル入側デスケーリング装置
９  仕上ミル
１０  仕上ミル出側センサ
１１  ランアウトラミナースプレー冷却装置
１２  コイラー入側センサ
１３  ダウンコイラー
１４  粗ポンプ
１５  仕上ポンプ
１６  ランアウトテーブルポンプ
２０  消費エネルギー実績計算装置
２１  品質実績データ収集装置
２２  材質予測計算装置
２３  表示手段
２４  省エネルギーリコメンド装置
２５  消費エネルギー基準量テーブル
２６  品質実績・材料計算値格納テーブル
２７  省エネルギー操業条件ルールベース
【図１】
0005999265.tif 000009
【図２】
0005999265.tif 000010
【図３】
0005999265.tif 000011
【図４】
0005999265.tif 000012